(57)【要約】【課題】製造コストの増大を抑えてコンパクト化を図りながら磁気テープと磁気ヘッドとの接触を解除できる磁気テープ装置、及び、該磁気テープ装置の保全方法を提供する。【解決手段】記憶媒体としての磁気テープと、前記磁気テープを搬送経路に沿って移動させる搬送部と、前記搬送経路に配置されて、前記搬送経路上を移動する前記磁気テープに対してデータの読み書きを行う磁気ヘッドと、前記搬送経路に配置されて、前記搬送経路上で停止している前記磁気テープに対して当接するとともに、前記搬送経路と交差する方向に往復移動可能に設けられることで、前記磁気テープを前記磁気ヘッドから離間させるリフター部と、を備える。【選択図】図２
2015191681.tif 000002
【特許請求の範囲】
【請求項１】
記憶媒体としての磁気テープと、
前記磁気テープを搬送経路に沿って移動させる搬送部と、
前記搬送経路に配置されて、前記搬送経路上を移動する前記磁気テープに対してデータの読み書きを行う磁気ヘッドと、
前記搬送経路に配置されて、前記搬送経路上で停止している前記磁気テープに対して当接するとともに、前記搬送経路と交差する方向に往復移動可能に設けられることで、前記磁気テープを前記磁気ヘッドから離間させるリフター部と、
を備えることを特徴とする磁気テープ装置。
【請求項２】
前記搬送部は、前記磁気テープを前記搬送経路に沿って移動させる駆動部を有し、
前記リフター部は、
第一回転軸回りに回動可能に支持されるローテータと、
一端が前記ローテータに当接して、第二回転軸回りに回動可能に支持されるとともに、他端が前記磁気テープに当接するリフター部本体と、を有し、
前記ローテータは、前記駆動部からの駆動力によって回動して前記リフター部本体を回動させることを特徴とする請求項１に記載の磁気テープ装置。
【請求項３】
前記リフター部本体は、前記磁気テープに当接する当接部を有し、
前記当接部の寸法は、少なくとも前記磁気テープの幅方向における寸法よりも大きい
ことを特徴とする
請求項２に記載の磁気テープ装置。
【請求項４】
記憶媒体としての磁気テープと、
前記磁気テープを搬送経路に沿って移動させる搬送部と、
前記搬送経路に配置されて、前記搬送経路を移動する前記磁気テープに対してデータの読み書きを行う磁気ヘッドと、
前記搬送経路に配置されるリフター部と、
を備える磁気テープ装置を用いた磁気テープの保全方法であって、
前記リフター部を前記搬送経路上で停止している前記磁気テープに対して当接させ、
前記搬送経路と交差する方向に往復移動させることで、前記磁気テープを前記磁気ヘッドから離間させる
ことを特徴とする磁気テープの保全方法。
【発明の詳細な説明】
【技術分野】
【０００１】
本発明は、磁気テープ装置及び磁気テープの保全方法に関する。
【背景技術】
【０００２】
大量のデータを記録するためのデータストレージ装置として、例えばＬＴＯ規格（Ｌｉｎｅａｒ  Ｔａｐｅ−Ｏｐｅｎ規格）に代表されるような磁気テープを用いた磁気テープ装置が知られている。
このような磁気テープ装置は、リールに巻回された状態の磁気テープを収容するカートリッジを磁気テープ装置に装填した後、磁気テープをカートリッジから引き出してデータの読み書きを行う構成となっている。データの読み書きは、磁気テープ装置に備えられた磁気ヘッドに対して磁気テープが当接した状態で、該磁気テープを走行させることで行われる。
一方で、磁気テープへのデータの読み書きが行われていない時には磁気テープは停止する。磁気テープが停止した状態が比較的長期間にわたる場合、静電気等によって磁気テープが磁気ヘッドに吸着されてしまう。このような状態では、磁気テープが正常に走行しない可能性がある。したがって、磁気テープが停止した状態から再び走行するに先立って、この吸着を解除するために種々の試みがなされている。
【０００３】
例えば特許文献１には、磁気テープに対してデータの読み書きを行う磁気ヘッドと、磁気テープを走行させる駆動手段と、磁気テープと磁気ヘッドの接触を解除する解除手段と、磁気テープの動作における異常を検出する異常検出手段と、を有する磁気テープ装置が記載されている。この磁気テープ装置では、異常検出手段によって例えば磁気ヘッドと磁気テープとが吸着された状態のような異常状態が検出されると、解除手段によって磁気テープと磁気ヘッドとが互いに離間し、磁気テープが正常な状態に復旧する。
【先行技術文献】
【特許文献】
【０００４】
【特許文献１】特開２００９−２１１７５４号公報
【発明の概要】
【発明が解決しようとする課題】
【０００５】
しかしながら、上述の特許文献１に記載された磁気テープ装置には、磁気テープと磁気ヘッドとの接触を解除する解除手段を駆動するための駆動源が別途設けられている。したがって、構造が複雑化することで製造コストがかさむとともに、駆動源を設置するためのスペースを新たに用意する必要性も生じる。
【０００６】
本発明は、上記課題を解決するためになされたものであって、製造コストの増大を抑えてコンパクト化を図りながら磁気テープと磁気ヘッドとの接触を解除できる磁気テープ装置、及び、該磁気テープ装置の保全方法を提供することを目的とする。
【課題を解決するための手段】
【０００７】
上記課題を解決するために、本発明は以下の手段を提案している。
本発明の一態様に係る磁気テープ装置は、記憶媒体としての磁気テープと、前記磁気テープを搬送経路に沿って移動させる搬送部と、前記搬送経路に配置されて、前記搬送経路上を移動する前記磁気テープに対してデータの読み書きを行う磁気ヘッドと、前記搬送経路に配置されて、前記搬送経路上で停止している前記磁気テープに対して当接するとともに、前記搬送経路と交差する方向に往復移動可能に設けられることで、前記磁気テープを前記磁気ヘッドから離間させるリフター部と、を備えることを特徴とする。
【０００８】
また、本発明の一態様に係る磁気テープの保全方法は、記憶媒体としての磁気テープと、前記磁気テープを搬送経路に沿って移動させる搬送部と、前記搬送経路に配置されて、前記搬送経路を移動する前記磁気テープに対してデータの読み書きを行う磁気ヘッドと、前記搬送経路に配置されるリフター部と、を備える磁気テープ装置を用いた磁気テープの保全方法であって、前記リフター部を前記搬送経路上で停止している前記磁気テープに対して当接させ、前記搬送経路と交差する方向に往復移動させることで、前記磁気テープを前記磁気ヘッドから離間させることを特徴とする。
【発明の効果】
【０００９】
本発明の磁気テープ装置及び磁気テープの保全方法によれば、製造コストの増大を抑えることができるとともに、装置のコンパクト化を図ることができる。
【図面の簡単な説明】
【００１０】
【図１】本発明の実施形態における磁気テープ装置の平面図である。
【図２】本発明の実施形態における搬送部の構成を示す斜視図である。
【図３】本発明の実施形態におけるリフター部の構成を示す斜視図である。
【図４】本発明の実施形態におけるリフター部の動作に関する説明図である。
【図５】本発明の実施形態におけるリフター部の動作に関する説明図である。
【図６】本発明の第二実施形態における磁気テープ装置の説明図である。
【発明を実施するための形態】
【００１１】
以下、本発明の第一実施形態に係る磁気テープ装置１００について図１から図５を参照して説明する。
図１に示すように、磁気テープ装置１００には、内部に磁気テープＴが収容されたカートリッジ１が装填されることで外部記憶装置としての使用に供されるものである。
磁気テープ装置１００は、カートリッジ１に収容された磁気テープＴを引き出すとともに、磁気テープＴを後述する搬送経路Ｃに沿って移動させる搬送部３０と、搬送部３０によって搬送された磁気テープＴに対してデータの読み書きを行う磁気ヘッド４０と、磁気ヘッド４０に磁気テープＴが吸着された場合に磁気テープＴを磁気ヘッド４０から離間させるリフター部５０と、を備えている。
【００１２】
搬送部３０の構成について、図２を参照して説明する。なお、以下の説明では、回転軸Ｏ１，Ｏ２，Ｏ３は、図２中における矢印Ｕ−Ｄ方向に沿って延びるものとする。
図２に示すように搬送部３０は、回転軸Ｏ１回りに回動可能に支持される歯車であるローダギア２と、ローダギア２を回転駆動する駆動装置１１と、ローダギア２の回転に伴って直線運動を行うロッドバー３と、ロッドバー３の直線運動によって回転軸Ｏ２（第一回転軸Ｏ２）回りに回動するローテータ８と、ローテータ８に対して着脱可能に係合するリーダブロック９と、を有している。さらに、搬送部３０は上述の磁気ヘッド４０と互いに所定の間隔を開けて設けられた複数のローラー６０と、回転軸７０ａ回りに回動可能に設けられた巻き取りリール７０と、を備えている。
【００１３】
ローダギア２は、外形視で円盤状に形成された部材であって、その外周の一部分には歯が形成されている。また、ローダギア２の外周における、歯が形成された部分以外の部分には、径方向外側に向かって突出するローダカム２ｂが形成されている。
【００１４】
駆動装置１１は、モータ１１ａと、モータ１１ａの回転によって駆動されるギア列１１ｂと、を有している。モータ１１ａは不図示の電源に対して電気的に接続されている。また、モータ１１ａの出力軸にはギア列１１ｂの一部を形成するギアが設けられている。さらに、ギア列１１ｂの最後段に位置するギアは、上述のローダギア２に設けられた歯と噛み合う。換言すれば、モータ１１ａの出力は、ギア列１１ｂを介してローダギア２に伝達される。
【００１５】
ロッドバー３は、外形視で概ね方形板状に形成された部材である。ロッドバー３の一方の端部には、ローダギア２に設けられたローダカム２ｂと噛み合うような形状のカム溝３ｂが形成されている。すなわち、ローダギア２の回転に伴って、ロッドバー３は図２における矢印Ａの方向に直線的に運動することができる。ここで、Ａ方向とは、上述のＵ−Ｄ方向に直交する方向である。したがって、ロッドバー３はローダギア２の外周における接線の方向に沿って直線的に運動することができる。
加えて、ロッドバー３はバネ３ｃによって、Ａ方向後方側に向かって付勢されている。さらに、ロッドバー３のＡ方向前方側に位置する端部には、軸部３ｄが形成されている。
【００１６】
ローテータ８は、磁気テープ装置１００上に設けられた回転軸Ｏ２回りに回動可能に支持される。より詳しくは、ローテータ８は、上述のロッドバー３と当接するローテータレバー８ａと、ローテータレバー８ａと回転軸Ｏ２方向に対向するローテータアーム８ｂと、これらローテータレバー８ａとローテータアーム８ｂとを回転軸Ｏ２方向に接続する接続部８ｃと、から構成されている。
【００１７】
ローテータレバー８ａの先端部は、ロッドバー３に設けられた軸部３ｄと接続されている。ローテータレバー８ａの先端部には、ローテータレバー８ａの延在する方向に延びる長穴が形成されている。軸部３ｄはこの長穴の開口に対してはめ込まれている。
【００１８】
ローテータアーム８ｂは、外形視でＹ字状に形成された部材である。ローテータアーム８ｂは、回転軸Ｏ２によって支持される軸部８ｄを有している。この軸部８ｄが設けられた領域から、３つの棒状のアームがおおむね放射状に延びている。これら３つのアームのうち、１つのアームがローテータアーム８ｂとされている。ローテータアーム８ｂにおける軸部８ｄから離間する方向における端部は、後述するリフター部５０におけるリフター部本体１０に当接するように配置される。
【００１９】
このように形成されたローテータレバー８ａと、ローテータアーム８ｂとは、接続部８ｃによって、回転軸Ｏ２の延びる方向に互いに接続されている。接続部８ｃは、回転軸Ｏ２から径方向外側に向かって所定の距離だけ偏心した位置に設けられている。したがって、ローテータレバー８ａと、ローテータアーム８ｂとの間には空間が形成されている。この空間には、不図示の係止部によってリーダブロック９が脱着可能に配置される。
【００２０】
リーダブロック９は、外形視で直方体状に形成された部材である。詳細は図示しないが、リーダブロック９には、カートリッジ１における磁気テープＴの始端に設けられた棒状のリーダピンと係合するための係合溝（不図示）が設けられている。
【００２１】
リーダブロック９は、ロッドバー３がＡ方向に移動すると同時に、ローテータアーム８ｂと連動して回転軸Ｏ４回りに回転する。この回転に伴ってリーダブロック９の係合溝と、磁気テープＴに設けられたリーダピンとが係合する。
【００２２】
リーダブロック９がリーダピンと係合した後、所定の搬送経路Ｃに沿って移動することにより、リーダピンに接続された磁気テープＴはカートリッジ１から引き出されて、データの読み書き等の利用に供される。
【００２３】
ローラー６０は、所定の回転軸回りに回動可能に設けられた円柱状の部材である。ローラー６０は、磁気テープＴが走行するに際して、磁気ヘッド４０の近傍で撓み等を生じることのないように、磁気テープＴに適正なテンションを付加する目的で設けられるものである。すなわち、磁気テープＴは、ローラー６０の外周面に当接した状態で走行する。
【００２４】
搬送経路Ｃは、図４に示すように搬送部３０における複数のローラー６０の外周と、磁気ヘッド４０の読み取り面４１と、を結んだ折線状の経路である。磁気テープＴは、搬送部３０によって搬送経路Ｃに沿って走行する。さらに、磁気テープＴは搬送経路Ｃを通過した後、巻き取りリール７０に対して巻回される。
【００２５】
上述のように、始端にリーダピンが設けられた磁気テープＴ様の記憶媒体を磁気テープ装置１００における搬送経路Ｃに沿って移動させることは、一般にスレッディング動作と呼ばれるものである。
【００２６】
リーダブロック９は、上述したようにローテータレバー８ａと、ローテータアーム８ｂとの間に形成された空間に配置された後、不図示の動力源によって搬送経路Ｃ上を移動する。すなわち、リーダブロック９が移動した後は、図３に示すような状態となる。
【００２７】
スレッディング動作を行うための構成として、例えば駆動源と、該駆動源によって駆動されるフォロワと、フォロワを案内するカムとを用いる構成が挙げられる。この構成では、リーダブロック９にフォロワを取り付けるとともに、搬送経路Ｃに沿った形状のカムを形成することで、フォロワをカムに追従させる。このような構成によれば、所望の搬送経路Ｃに沿ってリーダブロック９を移動させることができる。
【００２８】
続いて、リフター部５０の構成について図２を参照して説明する。
リフター部５０は、上述の搬送部３０と、多くの構成要素を共にしている。すなわち、リフター部５０は、駆動装置１１（駆動部１１）と、ローダギア２と、ロッドバー３と、ローテータ８と、を有している。さらに、リフター部５０は、リフター部本体１０を有している。
【００２９】
以下の説明において、搬送部３０と共通の構成要素についてはその詳細な説明を省略し、リフター部本体１０の構成について特に説明する。
【００３０】
図２に示すように、リフター部本体１０は、ローテータ８に設けられたローテータアーム８ｂの先端部と当接するように配置される部材である。リフター部本体１０は、ローテータアーム８ｂと当接するリフターレバー１０ａと、回転軸Ｏ３（第二回転軸）の方向に沿って延びるリフターアーム１０ｂ（当接部１０ｂ）と、これらを互いに接続するリフター基部１０ｃと、を有している。
【００３１】
リフター基部１０ｃは、回転軸Ｏ３と交差する面上に延在する、外形視で板状矩形の部材である。リフター基部１０ｃの中央領域には円形の開口である開口部１０ｄが設けられている。開口部１０ｄは、リフター基部１０ｃを厚さ方向に貫通している。この開口部１０ｄは、磁気テープ装置１００に設けられた不図示の軸部によって支持されて、回転軸Ｏ３の回りに回動可能とされている。さらに、この軸部は不図示のバネによって付勢されている。より詳細には、Ｕ−Ｄ方向一方側から見て、回転軸Ｏ３回りに反時計回りに回転する方向に付勢されている。
【００３２】
リフターレバー１０ａは、リフター基部１０ｃの一端部に設けられた突出部である。さらに、リフターアーム１０ｂは、リフター基部１０ｃにおける、リフターレバー１０ａと対向する端部に設けられた棒状部材である。
【００３３】
リフターアーム１０ｂは、リフター基部１０ｃ上から、回転軸Ｏ３に沿う方向に延びるとともに、リフターレバー１０ａが設けられる側と反対側の面に設けられている。リフターアーム１０ｂの延在する方向における寸法は、磁気テープＴの幅方向の寸法よりも大きく設定されている。
なお、ローテータ８からの力が付加されていない状態にあっては、リフター部本体１０はバネの力によって、以下のような状態で停止している。すなわち、リフターアーム１０ｂが搬送経路Ｃから離間した位置にあるような状態で停止している。この位置をリフター部本体１０（リフターアーム１０ｂ）の初期位置とする。より詳細には、初期位置は、図４に示すように、リフターアーム１０ｂは搬送経路Ｃから見て磁気ヘッド４０が位置する側に向かう方向に離間した位置にある。
【００３４】
磁気テープ装置１００における搬送部３０とリフター部５０とは以上のように構成される。次に、この磁気テープ装置１００におけるリフター部５０の動作について図３から図５を参照して説明する。なお、リフター部５０は、搬送部３０における上述のスレッディング動作が完了した後に動作するものである。
【００３５】
まず、駆動装置１１におけるモータ１１ａが不図示の電源によって駆動され、モータ１１ａの動力がギア列１１ｂに伝達される。ギア列１１ｂに伝達された動力によって、ギア列１１ｂと噛み合うローダギア２が回転軸Ｏ１回りにＲ１方向に向かって回動する。
【００３６】
ローダギア２がＲ１方向に回動すると、ローダギア２に設けられたローダカム２ｂと、ロッドバー３に設けられたカム溝３ｂとが互いに噛み合う。これらローダカム２ｂと、カム溝３ｂとが互いに噛み合った状態で、さらにローダギア２が回動することによって、ロッドバー３は図３における矢印Ａの方向に直線移動する。
【００３７】
ロッドバー３の移動に伴って、ローテータ８が回転軸Ｏ２回りに回動する。より詳細には、Ｕ−Ｄ方向一方側から見てローテータ８は回転軸Ｏ２回りに反時計回りに回転する。ローテータ８の回転に伴って、リフター部本体１０は回転軸Ｏ３回りに回動する。より詳細には、Ｕ−Ｄ方向一方側から見てリフター部本体１０は回転軸Ｏ３回りに時計回りに回動する。
【００３８】
リフター部本体１０が回転軸Ｏ３を中心として時計回りに回動すると、搬送経路Ｃ上に位置する磁気テープＴはリフター部本体１０のリフターアーム１０ｂに当接する。この状態から、リフター部本体１０がさらに回動すると、磁気テープＴはリフターアーム１０ｂによって搬送経路Ｃから逸脱した位置に移動する。この位置をリフター部本体１０（リフターアーム１０ｂ）のリフト位置と呼ぶ。
換言すると、リフターアーム１０ｂの動作によって、磁気テープＴはおおむね自身の厚さ方向に沿って移動し、搬送経路Ｃから逸脱する。この動作をリフト動作と呼ぶ。
【００３９】
次に、リフト動作が完了した後のリフター部５０の動作について説明する。
リフト動作が完了すると、ローダギア２はさらに回動を続ける。ローダギア２が回動を続けると、ローダギア２に設けられたローダカム２ｂと、ロッドバー３に設けられたカム溝３ｂとの噛み合いが解除される。
【００４０】
ローダカム２ｂとカム溝３ｂとの噛み合いが解除されると、ロッドバー３は上述のバネ３ｃの弾性復元力によってＡ方向後方側に向かって移動する。ロッドバー３のＡ方向後方側への移動に伴って、ローテータ８は回転軸Ｏ２を中心として、Ｕ−Ｄ方向一方側から見て時計回りに回動する。これにより、ローテータアーム８ｂも、回転軸Ｏ２を中心として、Ｕ−Ｄ方向一方側から見て時計回りに回動する。
【００４１】
ここで、上述したように、ローテータアーム８ｂと当接するリフター部本体１０は、不図示のバネによって、回転軸Ｏ３を中心としてＵ−Ｄ方向一方側から見て反時計回りの方向に付勢されている。
【００４２】
したがって、ローテータ８が回転軸Ｏ２を中心として時計回りに回動するに伴って、リフター部本体１０は、このバネの弾性復元力によって、回転軸Ｏ３を中心として反時計回りに回動する。
【００４３】
これにより、リフター部本体１０のリフターアーム１０ｂは搬送経路Ｃ上の初期位置に移動する。ここで、上述のように磁気テープＴはローラー６０等によってテンションが付加されている状態であるため、リフターアーム１０ｂが初期位置に移動すると、磁気テープＴ自身のテンションによって搬送経路Ｃ上に移動して、磁気ヘッド４０と再び当接する。これにより、再び磁気テープＴ上のデータの読み書き等の操作が行われる。
【００４４】
上述のような構成によれば、磁気テープＴが搬送経路Ｃ上にあるときは、磁気テープＴは磁気ヘッド４０に対して当接している。一方で、リフター部５０が上述のようにリフト動作を行うことによって、磁気テープＴは磁気ヘッド４０から離間する。
【００４５】
すなわち、磁気テープＴが静電気等の要因によって磁気ヘッド４０に吸着されている場合であっても、リフター部５０がリフト動作を行うことによって、この状態から脱することができる。これにより、磁気テープＴは適切に搬送経路Ｃ上を走行することができ、磁気テープ装置１００による磁気テープＴ上のデータを適切に読み書きすることができる。
以上説明したように、リフター部５０におけるリフター部本体１０は、上述の初期位置とリフト位置との間を往復移動可能とされている。
【００４６】
さらに、上述の構成によれば、リフター部５０は搬送部３０と駆動源をともにしている。すなわち、リフター部５０は、搬送部３０を駆動する駆動装置１１によって駆動される。したがって、駆動装置１１とは別の駆動源を用意しなくても、リフター部５０を構成することができる。これにより、部品点数を削減することができるとともに、製造工程を簡略化することができる。
【００４７】
加えて、上述の構成では、リフター部本体１０におけるリフターアーム（当接部）１０ｂの寸法は、磁気テープＴの幅方向の寸法よりも大きく設定されている。
このような構成によれば、リフターアーム１０ｂは磁気テープＴの幅方向全体にわたって当接することができる。
ここで、リフターアーム１０ｂが磁気テープＴの幅寸法よりも短く形成されている場合には、リフター部５０（リフターアーム１０ｂ）の動作に伴って、磁気テープＴにねじれや破れ等の損壊を生じる可能性がある。
しかしながら、上述のように構成されていることにより、本実施形態にかかるリフター部５０は磁気テープＴに損壊を生じることなく動作することができる。
【００４８】
さらに、上述のように構成されたリフター部５０を用いた磁気テープＴの保全方法によれば、リフター部５０が初期位置とリフト位置との間で往復移動可能であることによって、磁気テープＴを磁気ヘッド４０から離間させることができる。
【００４９】
すなわち、磁気テープＴが静電気等の要因によって磁気ヘッド４０に吸着されている場合であっても、リフター部５０を動作させることによって、この状態を脱することができる。これにより、磁気テープＴは適切に搬送経路Ｃ上を走行することができ、磁気テープ装置１００による磁気テープＴ上のデータを適切に読み書きすることができる。
【００５０】
以上、本発明の第一実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、クレームの範囲によってのみ限定される。
【００５１】
なお、上述の実施形態では、磁気テープＴとして、カートリッジ１に収容された磁気テープＴを説明した。しかし、磁気テープＴの態様はカートリッジ式に限定されない。例えば、オープンリールデッキ等、磁気テープＴが外部に露出した状態の製品に対しても適用可能である。より広義には、帯状の薄膜に磁性体を塗布して形成される記憶媒体である限りにおいては、本発明はいかなる製品に対しても適用可能である。
【００５２】
さらに、本実施形態では駆動装置１１におけるギア列１１ｂの構成として、モータ１１ａの出力軸に設けられるウォームギアと、これに噛み合う２つの円形のギアを用いている。しかしながら、ギア列１１ｂの構成はこの構成に限定されず、モータ等の回転動力を減速・伝達できる限りにおいてはいかなる構成であってもよい。例えば、ベルトとプーリー、又はギアとチェーンによって構成されていてもよい。
【００５３】
次に、本発明の第二実施形態について、図６を参照して説明する。
本実施形態に係る磁気テープ装置２００は、以下の点で上述の第一実施形態と異なる。すなわち、本実施形態に係る磁気テープ装置２００は、搬送経路Ｃ上を移動する磁気テープＴと、磁気テープＴを搬送経路Ｃ上で走行させる搬送部３０と、磁気テープＴに当接してデータの読み書きを行う磁気ヘッド４０と、搬送経路Ｃ上に設けられるリフター部５０と、を有している。
【００５４】
このような構成であっても、上述の実施形態と同様の作用を得ることができる。すなわち、磁気テープＴが静電気等の要因によって磁気ヘッド４０に吸着されている場合であっても、リフター部５０が動作することによって、この状態から脱することができる。これにより、磁気テープＴは適切に搬送経路Ｃ上を走行することができ、磁気テープ装置１００による磁気テープＴ上のデータを適切に読み書きすることができる。
【符号の説明】
【００５５】
Ｔ  磁気テープ
Ｃ  搬送経路
１００、２００  磁気テープ装置
１  カートリッジ
２  ローダギア
２ｂ  ローダカム
３  ロッドバー
３ｂ  カム溝
３ｃ  バネ
３ｄ  軸部
８  ローテータ
８ａ  ローテータレバー
８ｂ  ローテータアーム
８ｃ  接続部
８ｄ  軸部
１０  リフター部本体
１０ａ  リフターレバー
１０ｂ  リフターアーム（当接部）
１０ｃ  リフター基部
１０ｄ  開口部
１１  駆動装置
１１ａ  モータ
１１ｂ  ギア列
３０  搬送部
５０  リフター部
６０  ローラー
７０  巻き取りリール
７０ａ  回転軸
Ｏ１、Ｏ２、Ｏ３  回転軸
【図１】
2015191681.tif 000003
【図２】
2015191681.tif 000004
【図３】
2015191681.tif 000005
【図４】
2015191681.tif 000006
【図５】
2015191681.tif 000007
【図６】
2015191681.tif 000008